(57)【要約】【課題】  複数の被写体を含む画像から複数の情報を得る。【解決手段】  ３人の人物を含む原画像Ｓ０の各人物の顔領域に対応する部分に、各人物の声を表す音声データＭ１〜Ｍ３の保管場所のＵＲＬを表すコードＣ１〜Ｃ３を埋め込む。カメラ付き携帯電話３の撮像部３１によりコードＣ１〜Ｃ３を埋め込んだ画像を記録したプリントＰを撮像して撮像画像データＳ２を得、像の歪みを補正して補正画像データＳ３を得る。補正画像データＳ３からコードＣ１〜Ｃ３を検出してサーバ４に送信する。サーバ４においてＵＲＬに基づいて音声データＭ１〜Ｍ３を検索し、これをカメラ付き携帯電話３に送信する。カメラ付き携帯電話３の音声出力部３８は音声データＭ１〜Ｍ３を再生する。【選択図】          図１
2004282709.tif 000002
【特許請求の範囲】
【請求項１】
複数の被写体が含まれる画像に情報を付与して該情報が付与された情報付与済み画像を取得する情報付与装置において、
前記画像における前記複数の被写体をそれぞれ含む複数の領域のそれぞれに異なる情報を付与して前記情報付与済み画像を取得する付与手段を備えたことを特徴とする情報付与装置。
【請求項２】
前記付与手段は、前記情報を前記画像に秘匿的に埋め込むことにより、前記情報付与済み画像を取得する手段であることを特徴とする請求項１記載の情報付与装置。
【請求項３】
請求項１または２記載の情報付与装置により取得された前記情報付与済み画像が再生されてなる画像再生媒体を撮像手段によって撮像することにより得られた撮像画像データの入力を受け付ける入力受付手段と、
前記情報付与済み画像に含まれる前記複数の被写体毎に前記撮像画像データから前記情報を検出する検出手段とを備えたことを特徴とする情報検出装置。
【請求項４】
前記撮像画像データの幾何学的歪みを補正する補正手段をさらに備え、
前記検出手段は該補正手段により補正された撮像画像データから前記情報を検出する手段であることを特徴とする請求項３記載の情報検出装置。
【請求項５】
前記撮像手段は携帯端末装置に設けられたカメラであることを特徴とする請求項３または４記載の情報検出装置。
【請求項６】
前記情報は前記複数の被写体にそれぞれ対応付けられた音声データの格納場所を表す格納場所情報であり、
該格納場所情報に基づいて前記音声データを取得する音声データ取得手段をさらに備えたことを特徴とする請求項３から５のいずれか１項記載の情報検出装置。
【請求項７】
複数の被写体が含まれる画像に情報を付与して該情報が付与された情報付与済み画像を取得する情報付与方法において、
前記画像における前記複数の被写体をそれぞれ含む複数の領域のそれぞれに異なる情報を付与して前記情報付与済み画像を取得することを特徴とする情報付与方法。
【請求項８】
請求項７記載の情報付与により取得された前記情報付与済み画像が再生されてなる画像再生媒体を撮像手段によって撮像することにより得られた撮像画像データの入力を受け付け、
前記情報付与済み画像に含まれる前記複数の被写体毎に前記撮像画像データから前記情報を検出することを特徴とする情報検出方法。
【請求項９】
複数の被写体が含まれる画像に情報を付与して該情報が付与された情報付与済み画像を取得する情報付与方法をコンピュータに実行させるためのプログラムにおいて、
前記画像における前記複数の被写体をそれぞれ含む複数の領域のそれぞれに異なる情報を付与して前記情報付与済み画像を取得する手順を有することを特徴とするプログラム。
【請求項１０】
請求項７記載の情報付与方法により取得された前記情報付与済み画像が再生されてなる画像再生媒体を撮像手段によって撮像することにより得られた撮像画像データの入力を受け付ける手順と、
前記情報付与済み画像に含まれる前記複数の被写体毎に前記撮像画像データから前記情報を検出する手順とを有することを特徴とする情報検出方法をコンピュータに実行させるためのプログラム。
【発明の詳細な説明】
【技術分野】
【０００１】
本発明は、画像に情報を付与する情報付与装置および方法、画像に付与された情報を検出する情報検出装置および方法並びに情報検出方法をコンピュータに実行させるためのプログラムに関するものである。
【背景技術】
【０００２】
例えばＵＲＬのように、電子情報が存在する場所を表す情報をバーコードとして、あるいは電子透かしとして画像データに付与し、これをプリントアウトすることにより画像が記録されたプリント等の印刷物を得、この印刷物をスキャナ等の読取装置により読み取り、さらに読み取って得られた画像データを解析することにより、画像に付与された情報を検出し、電子情報が存在する場所にアクセスして電子情報を取得するようにしたシステムが広く用いられている（特許文献１、特許文献２、非特許文献１等）。
【０００３】
また、情報が埋め込まれた画像に含まれる被写体がトリミングされたり切り取られても画像中に情報が残るように、原画像から被写体を抽出し、被写体と電子透かし情報を埋め込むブロックとがある規則に従った位置関係となるように、電子透かし情報を原画像に埋め込む方法が提案されている（特許文献３）。この方法によれば、画像から被写体をトリミング等してもその被写体には電子透かし情報が付与されているため、原画像に付与された電子透かし情報を読み出すことができる。
【０００４】
一方、携帯電話の普及には目覚ましいものがあるが、近年、撮影により画像データを取得するデジタルカメラを有するカメラ付き携帯電話等のカメラ付き携帯端末装置が普及しつつある（例えば特許文献４，５等）。また、ＰＤＡ等の携帯端末装置においてカメラを内蔵させたカメラ付き携帯端末装置も提案されている（特許文献６，７等）。
【０００５】
このようなカメラ付きの携帯端末装置を用いることにより、撮影により取得した自分の好みの画像データを携帯端末装置の液晶モニタにおいて待ち受け画面に設定できる。また、撮影により取得した画像データを電子メールに添付して友人に送信することができるため、約束をキャンセルせざるを得ないような状況になったとき、あるいは待ち合わせ時刻に遅刻しそうなときに、申し訳なさそうな自分の表情を撮影して友人に送信する等、現在の自分の状況を友人に知らせることができることから、友人とのコミュニケーションをはかるのに便利である。
【０００６】
また、カメラ付き携帯端末装置を用いて上述したように情報が埋め込まれた印刷物を撮影し、上記と同様に電子情報が存在する場所の情報を検出することにより、カメラ付き携帯端末装置からその場所にアクセスして電子情報を取得することができる。
【特許文献１】米国特許第５，８４１，９７８号
【特許文献２】特開２０００−２３２５７３号公報
【特許文献３】特開平１１−４１４５３号公報
【特許文献４】特開平６−２３３０２０号公報
【特許文献５】特開２０００−２５３２９０号公報
【特許文献６】特開平８−１４００７２号公報
【特許文献７】特開平９−６５２６８号公報
【非特許文献１】Digimarc MediaBiridge Home Page, Connect to what you want from the web（２００２年３月５日検索）, インターネット<URL:http://www.digimarc.com/mediabridge/>
【発明の開示】
【発明が解決しようとする課題】
【０００７】
ところで、例えば集合写真のように画像に複数の被写体が含まれている場合、上記特許文献３に記載された方法によれば、その画像についての電子透かし情報が全ての被写体に対して埋め込まれるため、被写体をトリミング等しても被写体を参照することにより電子透かし情報を得ることができる。しかしながら、特許文献３の方法において得られるのは、その画像についての電子透かし情報であり、いずれの被写体をトリミング等しても得られる情報は１つのみであった。
【０００８】
本発明は上記事情に鑑みなされたものであり、複数の被写体を含む画像から複数の情報を得ることを目的とする。
【課題を解決するための手段】
【０００９】
本発明による情報付与装置は、複数の被写体が含まれる画像に情報を付与して該情報が付与された情報付与済み画像を取得する情報付与装置において、
前記画像における前記複数の被写体をそれぞれ含む複数の領域のそれぞれに異なる情報を付与して前記情報付与済み画像を取得する付与手段を備えたことを特徴とするものである。
【００１０】
「情報」は、バーコードや数値および記号を含むコードにより画像に付与してもよいが、電子透かしとして画像に秘匿的に埋め込むことにより画像に付与することが好ましい。
【００１１】
本発明による情報検出装置は、本発明の情報付与装置により取得された前記情報付与済み画像が再生されてなる画像再生媒体を撮像手段によって撮像することにより得られた撮像画像データの入力を受け付ける入力受付手段と、
前記情報付与済み画像に含まれる前記複数の被写体毎に前記撮像画像データから前記情報を検出する検出手段とを備えたことを特徴とするものである。
【００１２】
「画像再生媒体」としては、画像が記録されたプリント等の印刷物および画像を表示するディスプレイ等、画像を再生して見ることが可能なあらゆる媒体を含む。
【００１３】
なお、本発明による情報検出装置においては、前記撮像画像データの幾何学的歪みを補正する補正手段をさらに備えるものとし、
前記検出手段を、該幾何学的歪みが補正された撮像画像データから前記情報を検出する手段としてもよい。
【００１４】
また、本発明による情報検出装置においては、前記撮像手段を携帯端末装置に設けられたカメラとしてもよい。
【００１５】
また、本発明による情報検出装置においては、前記情報を前記複数の被写体にそれぞれ対応付けられた音声データの格納場所を表す格納場所情報とし、
該格納場所情報に基づいて前記音声データを取得する音声データ取得手段をさらに備えるものとしてもよい。
【００１６】
本発明による情報付与方法は、複数の被写体が含まれる画像に情報を付与して該情報が付与された情報付与済み画像を取得する情報付与方法において、
前記画像における前記複数の被写体をそれぞれ含む複数の領域のそれぞれに異なる情報を付与して前記情報付与済み画像を取得することを特徴とするものである。
【００１７】
本発明による情報検出方法は、本発明による情報付与により取得された前記情報付与済み画像が再生されてなる画像再生媒体を撮像手段によって撮像することにより得られた撮像画像データの入力を受け付け、
前記情報付与済み画像に含まれる前記複数の被写体毎に前記撮像画像データから前記情報を検出することを特徴とするものである。
【００１８】
なお、本発明による情報付与方法および情報検出方法をコンピュータに実行させるためのプログラムとして提供してもよい。
【発明の効果】
【００１９】
本発明の情報付与装置および方法によれば、画像に含まれる複数の被写体をそれぞれ含む複数の領域のそれぞれに異なる情報が付与されて情報付与済み画像が取得される。このため、情報付与済み画像には、それに含まれる複数の被写体にそれぞれ異なる情報が付与されることとなる。したがって、画像に含まれる複数の被写体のそれぞれから異なる情報を得ることができる。
【００２０】
とくに、電子透かしのように情報を画像に秘匿的に埋め込むことにより情報付与済み画像を取得すれば、複数の被写体のそれぞれに対応する情報を容易に解読できない態様にて画像に付与することができるため、情報の秘匿性を保つ上で好ましい。
【００２１】
本発明の情報検出装置および方法によれば、本発明の情報付与装置および方法により取得された情報付与済み画像が再生された画像再生媒体が撮像手段によって撮像され、画像再生媒体に再生された情報付与済み画像を表す撮像画像データが取得される。そして、撮像画像データから情報付与済み画像に含まれる複数の被写体毎に情報が検出される。このため、画像に含まれる複数の被写体のそれぞれから異なる情報を検出することができる。
【００２２】
また、撮像画像データの幾何学的歪みを補正し、幾何学的歪みを補正した撮像画像データから情報を検出することにより、撮像画像データが幾何学的歪みを含むものであっても、画像再生媒体に再生された画像に埋め込まれた情報を歪みのない状態で精度よく検出することができる。
【００２３】
この場合、撮像手段が携帯端末装置に設けられたカメラのように、得られる画像の幾何学歪みが大きい場合には、本発明による補正の効果は非常に大きい。
【００２４】
また、情報が複数の被写体のそれぞれに対応付けられた音声データのＵＲＬ等の格納場所を表す格納場所情報である場合、この格納場所情報に基づいて音声データの格納場所にアクセスして音声データを取得することにより、音声データを取得したユーザは被写体毎に対応付けられた音声を再生して楽しむことができる。
【発明を実施するための最良の形態】
【００２５】
以下図面を参照して本発明の実施形態について説明する。図１は本発明の実施形態による情報付与装置を備えた情報付与システムの構成を示す概略ブロック図である。図１に示すように、本実施形態による情報付与装置を備えた情報付与システム１は、画像データＳ０のプリントを受け付ける写真店に設置されてなるものであり、画像データＳ０および画像データＳ０と関連付ける音声データＭｎの入力を受け付ける入力部１１と、画像データＳ０により表される画像に含まれる被写体を抽出する被写体抽出部１２と、画像を被写体毎の領域にブロック化するブロック化処理部１３と、音声データＭｎの保管場所を表すコードＣｎを発生する入力データ処理部１４と、音声データＭｎ等種々の情報を保管する情報記憶部１５と、コードＣｎを画像データＳ０に埋め込んでコードＣｎが埋め込まれた情報付与済み画像データＳ１を取得する埋め込み処理部１６と、情報付与済み画像データＳ１をプリント出力するプリンタ１７とを備える。
【００２６】
なお、本実施形態においては、画像データＳ０により表される画像を原画像とし、画像データＳ０と同様に原画像についても参照符号としてＳ０を用いるものとする。また、原画像Ｓ０には３人の人物が含まれており、音声データＭｎは３人の人物それぞれの声を表す３つの音声データＭｎ（ｎ＝１〜３）とする。
【００２７】
ここで、音声データＭ１〜Ｍ３は、画像データＳ０を取得したユーザ（以下取得ユーザとする）が録音したものである。音声データＭ１〜Ｍ３は、例えばデジタルカメラにおいて画像データＳ０の撮像時に録音されて画像データＳ０とともにメモリカードに記録される。そして、取得ユーザがメモリカードを写真店に持参することにより、音声データＭ１〜Ｍ３は写真店の情報記憶部１５に保管される。なお、取得ユーザは、自分が所有するパソコンを用いてインターネット経由で音声データＭ１〜Ｍ３を情報付与システム１に送信してもよい。
【００２８】
なお、デジタルビデオカメラにより撮像された動画の１フレームをプリントアウトしたり、あるいは複数フレームから画像データを生成して生成した画像データをプリントアウトする場合がある。この場合、音声データＭ１〜Ｍ３としては、動画とともに録音されている音声を表すものを用いることができる。
【００２９】
入力部１１は、画像データＳ０および音声データＭ１〜Ｍ３が記録されたＣＤ−Ｒ、ＤＶＤ−Ｒ、メモリカード等の種々のメディアから画像データＳ０および音声データＭ１〜Ｍ３を読み出すメディアドライブ、ネットワーク経由で送信された画像データＳ０および音声データＭ１〜Ｍ３の入力を受け付ける通信インターフェース等、画像データＳ０および音声データＭ１〜Ｍ３の入力を受け付けることが可能なあらゆる手段を用いることができる。
【００３０】
被写体抽出部１２は、原画像から肌色領域を抽出したり顔の輪郭を抽出することにより、図２に示すように、原画像から人物の顔を含む顔領域Ｆ１〜Ｆ３を抽出する。
【００３１】
ブロック化処理部１３は、被写体抽出部１２が抽出した顔領域Ｆ１〜Ｆ３を含みかつ各顔領域Ｆ１〜Ｆ３が他の顔領域と重複しないように、原画像Ｓ０にコードＣ１〜Ｃ３を埋め込むためのブロック領域Ｂ１〜Ｂ３を設定する。本実施形態においては、例えば図３に示すようにブロック領域Ｂ１〜Ｂ３を設定する。
【００３２】
なお、本実施形態においては、原画像Ｓ０から顔領域を抽出しているが、海、山、花等の特定の被写体を検出し、これを含むように原画像Ｓ０にブロック領域を設定してもよい。
【００３３】
また、原画像Ｓ０を輝度や色差等の特徴量に基づいて複数の領域に分割することにより、顔等の特定の被写体を抽出することなく、原画像Ｓ０にブロック領域を設定してもよい。
【００３４】
入力データ処理部１４は、入力部１１が入力を受け付けた音声データＭ１〜Ｍ３を情報記憶部１５に保管するとともに、音声データＭ１〜Ｍ３のそれぞれに対応したユニークなコードＣ１〜Ｃ３を発生する。このコードＣ１〜Ｃ３は、音声データＭ１〜Ｍ３の保管場所のＵＲＬを１２８ビットの情報で表したものである。
【００３５】
情報記憶部１５は、後述するようにパソコンや携帯電話等からアクセスされるサーバに設置されてなるものである。
【００３６】
埋め込み処理部１６は、コードＣ１〜Ｃ３を、原画像Ｓ０のブロック領域Ｂ１〜Ｂ３にそれぞれ電子透かしとして埋め込む。図４は、埋め込み処理部１６が行う電子透かしの埋め込みアルゴリズムを説明するための図である。まず、ｍ種類（本実施形態においては、コードＣ１〜Ｃ３が１２８ビットであるから１２８種類）の疑似ランダムパターンＲｉ（ｉ＝１〜ｍ）を生成する。なお、ランダムパターンＲｉは実際には２次元のパターンＲｉ（ｘ，ｙ）であるが、ここでは説明のために１次元のパターンＲｉ（ｘ）として表すものとする。そして、音声データＭ１〜Ｍ３の保管場所のＵＲＬを１２８ビットの情報で表した場合におけるｉ番目ビットの値を、対応するｉ番目のランダムパターンＲｉ（ｘ）に乗算する。すなわち、音声データＭ１の保管場所のＵＲＬが例えば、１ビット目から順に１，１，０，０，…１というコードＣ１により表されている場合、Ｒ１（ｘ）×１，Ｒ２（ｘ）×１，Ｒ３（ｘ）×０，Ｒ４（ｘ）×０，…，Ｒｉ（ｘ）×（ｉ番目ビット値），…Ｒｍ（ｘ）×１を算出する。さらに、Ｒ１（ｘ）×１，Ｒ２（ｘ）×１，Ｒ３（ｘ）×０，Ｒ４（ｘ）×０，…Ｒｍ（ｘ）×１の総和Ｓｕｍ（＝ΣＲｉ（ｘ）×（ｉ番目ビット値））を算出する。そして算出したＳｕｍを原画像Ｓ０におけるブロック領域Ｂ１内の画像データＳ０に加算することにより、コードＣ１を画像データＳ０に埋め込む。
【００３７】
同様に、コードＣ２，Ｃ３についてもコードＣ２，Ｃ３とランダムパターンＲｉ（ｘ）との乗算値の総和Ｓｕｍを算出し、これをブロック領域Ｂ２，Ｂ３内の画像データＳ０に加算することにより、コードＣ２，Ｃ３を画像データＳ０に埋め込む。このようにして、コードＣ１〜Ｃ３が埋め込まれた画像データを情報付与済み画像データＳ１とする。
【００３８】
プリンタ１７は、コードＣ１〜Ｃ３が埋め込まれた情報付与済み画像データＳ１をプリント出力してプリントＰを得る。なお、プリントＰには、図５に示すようにコードＣ１〜Ｃ３が埋め込まれていることを示す☆印等の記号Ｋをプリントすることが好ましい。なお、記号Ｋは図５に示すように画像に影響を与えないプリントの周辺部にプリントすることが好ましいが、プリントＰの裏にプリントしてもよい。なお、プリントＰの裏であれば例えば「この写真には音声がリンクされています。」のようなテキストをプリントしてもよい。
【００３９】
次いで、情報の付与時に行われる処理について説明する。図６は情報の付与時に行われる処理を示すフローチャートである。まず、入力部１１が画像データＳ０および音声データＭ１〜Ｍ３の入力を受け付け（ステップＳ１）、被写体抽出部１２が原画像Ｓ０から顔領域Ｆ１〜Ｆ３を抽出し（ステップＳ２）、さらにブロック化処理部１３が顔領域Ｆ１〜Ｆ３を含むブロック領域Ｂ１〜Ｂ３を原画像Ｓ０に設定する（ステップＳ３）。
【００４０】
一方、入力データ処理部１４は音声データＭ１〜Ｍ３を情報記憶部１５に保管し（ステップＳ４）、さらに音声データＭ１〜Ｍ３の保管場所のＵＲＬを表すコードＣ１〜Ｃ３を発生する（ステップＳ５）。なお、ステップＳ４およびステップＳ５の処理は逆に行ってもよいが、並列に行うことが好ましい。また、ステップＳ２およびＳ３の処理と、ステップＳ４および５の処理は逆に行ってもよいが、並列に行うことが好ましい。
【００４１】
続いて、埋め込み処理部１６がコードＣ１〜Ｃ３を原画像Ｓ０のブロック領域１〜Ｂ３にそれぞれ埋め込み、コードＣ１〜Ｃ３が埋め込まれた情報付与済み画像を表す情報付与済み画像データＳ１を生成する（ステップＳ６）。そして、プリンタ１７が情報付与済み画像データＳ１をプリント出力してプリントＰを生成し（ステップＳ７）、処理を終了する。
【００４２】
なお、上記実施形態においては、電子透かしに代えて、音声データＭ１〜Ｍ３の保管場所のＵＲＬをバーコードとして画像データＳ０に付与してもよい。具体的には、原画像Ｓ０に含まれる各人物に近接させて原画像Ｓ０にバーコードを付与すればよい。この場合、情報記憶部１５には、サーバ４にバーコードと音声データＭ１〜Ｍ３の保管場所のＵＲＬとを対応付けた情報が保管される。
【００４３】
次いで、本実施形態による情報検出装置を備えた情報送信システムについて説明する。図７は本発明による情報検出装置を適用した情報送信システムの第１の実施形態の構成を示す概略ブロック図である。図７に示すように、第１の実施形態による情報送信システムは、上記情報付与システム１とともに写真店に設置されてなるものであり、カメラ付き携帯電話３と上記情報付与システム１における情報記憶部１５を備えたサーバ４との間で公衆回線５を介してデータのやり取りを行うものである。
【００４４】
カメラ付き携帯電話３は、上記情報付与システム１において生成されたプリントＰを撮像してプリントＰに記録された画像を表す撮像画像データＳ２を取得する撮像部３１と、画像や種々の情報を表示する表示部３２と、十字キー等の複数の入力キーからなるキー入力部３３と、公衆回線５を介して通話、メールの送受信およびデータの送受信を行う通信部３４と、撮像部３１において取得された撮像画像データＳ２をメモリカード等に記憶する記憶部３５と、撮像画像データＳ２の歪みを補正して補正画像データＳ３を得る歪み補正部３６と、補正画像データＳ３からプリントＰに埋め込まれたコードＣ１〜Ｃ３を取得する情報検出部３７と、音声を出力するスピーカ等の音声出力部３８とを備える。
【００４５】
撮像部３１は、撮像レンズ、シャッタ、撮像デバイス等からなる。なお、撮像レンズは３５ｍｍカメラ換算でｆ≦２８ｍｍの広角レンズが使用される。また、撮像デバイスとしては、例えばカラーＣＭＯＳセンサやカラーＣＣＤセンサを用いることができる。
【００４６】
表示部３２は液晶モニタ等からなる。なお、本実施形態においては、撮像画像データＳ２を縮小して得られた画像の全体が表示部３２に表示されるようにしてもよいが、撮像画像データＳ２を縮小することなくそのまま表示部３２に表示してもよい。この場合は、キー入力部３３の十字キーを用いて表示された画像をスクロールすることにより、画像上の全領域を把握することができる。
【００４７】
ここで、撮像部３１において撮像されるプリントＰには、上記情報付与システム１により、プリントＰに含まれる被写体に対応する音声データＭ１〜Ｍ３の保管場所のＵＲＬを表すコードＣ１〜Ｃ３が電子透かしとして埋め込まれている。
【００４８】
撮像部３１においてプリントＰを撮像することにより取得される撮像画像データＳ２は、情報付与システム１において取得された情報付与済み画像データＳ１に対応したものとなっているはずである。しかしながら、撮像部３１においては撮像レンズとして広角レンズを使用しているため、撮像画像データＳ２により表される画像は撮像部３１における撮像レンズの幾何学的歪みを含んだものとなっている。したがって、コードＣ１〜Ｃ３の検出のために、撮像画像データＳ２と疑似ランダムパターンＲｉ（ｘ，ｙ）との相関値を算出しても、埋め込まれた疑似ランダムパターンＲｉ（ｘ，ｙ）が歪んでいるため相関値が大きくならず、プリントＰに埋め込まれたコードＣ１〜Ｃ３を検出することができない。
【００４９】
このため、本実施形態においては、歪み補正部３６において、撮像画像データＳ２により表される画像に含まれる幾何学的歪みを補正して補正画像データＳ３を取得するようにしたものである。
【００５０】
情報検出部３７は、補正画像データＳ３と疑似ランダムパターンＲｉ（ｘ，ｙ）との相関値を求め、プリントＰに埋め込まれた音声データＭ１〜Ｍ３の保管場所のＵＲＬを表すコードＣ１〜Ｃ３を取得する。
【００５１】
具体的には、補正画像データＳ３と全ての疑似ランダムパターンＲｉ（ｘ，ｙ）との相関値を算出し、相関値が比較的大きい疑似ランダムパターンＲｉ（ｘ，ｙ）については１を、それ以外の疑似ランダムパターンＲｉ（ｘ，ｙ）については０を割り当て、割り当てられた値１，０を１番目の疑似ランダムパターンＲｉ（ｘ，ｙ）から順に並べることにより、１２８ビットの情報、すなわち音声データＭ１〜Ｍ３の保管場所のＵＲＬを検出することができる。
【００５２】
サーバ４は、公衆回線５を介してのデータの送受信を行う通信部５１と、音声データＭ１〜Ｍ３等種々の情報を記憶した上記情報付与システム１に含まれる情報記憶部１５と、カメラ付き携帯電話３から送信されたコードＣ１〜Ｃ３に基づいて、情報記憶部１５を検索してコードＣ１〜Ｃ３により表されるＵＲＬが指定する音声データＭ１〜Ｍ３を取得する情報検索部５２とを備える。
【００５３】
次いで、情報送信システムの第１の実施形態において行われる処理について説明する。図８は第１の実施形態において行われる処理を示すフローチャートである。なお、カメラ付き携帯電話３のユーザ（以下受信ユーザとする）には、プリントＰが渡されているものとする。まず、受信ユーザの指示により撮像部３１がプリントＰを撮像し、プリントＰの画像を表す撮像画像データＳ２を取得する（ステップＳ１１）。記憶部３５は撮像画像データＳ２を一旦記憶する（ステップＳ１２）。そして、歪み補正部３６が記憶部３５から撮像画像データＳ２を読み出し、撮像画像データＳ２に含まれる幾何学的歪みを補正して補正画像データＳ３を取得する（ステップＳ１３）。そして、情報検出部３７が、補正画像データＳ３に埋め込まれている音声データＭ１〜Ｍ３の保管場所のＵＲＬを表すコードＣ１〜Ｃ３を検出する（ステップＳ１４）。コードＣ１〜Ｃ３を検出すると、通信部３４が公衆回線５を介してコードＣ１〜Ｃ３をサーバ４に送信する（ステップＳ１５）。
【００５４】
サーバ４の通信部５１はコードＣ１〜Ｃ３を受信し（ステップＳ１６）、情報検索部５２がコードＣ１〜Ｃ３により表されるＵＲＬに基づいて情報記憶部１５から音声データＭ１〜Ｍ３を検索し（ステップＳ１７）、通信部５１が検索した音声データＭ１〜Ｍ３を公衆回線５を介してカメラ付き携帯電話３に送信する（ステップＳ１８）。
【００５５】
カメラ付き携帯電話３の通信部３４は音声データＭ１〜Ｍ３を受信し（ステップＳ１９）、音声出力部３８が音声データＭ１〜Ｍ３を再生し（ステップＳ２０）、処理を終了する。
【００５６】
ここで、送信される音声データＭ１〜Ｍ３はプリントＰに含まれる３人の人物の声であるため、受信ユーザは、カメラ付き携帯電話３の表示部３２に表示された画像とともに、その画像に含まれる人物の声を聞くことができる。
【００５７】
このように、本実施形態においては、原画像Ｓ０に含まれる被写体毎に音声データＭ１〜Ｍ３の保管場所のＵＲＬを表すコードＣ１〜Ｃ３を埋め込み、コードＣ１〜Ｃ３が埋め込まれた情報付与済み画像データＳ１をプリントして得られたプリントＰをカメラ付き携帯電話３の撮像部３１により撮像して撮像画像データＳ２を得、さらにこれを補正することにより得られた補正画像データＳ３からコードＣ１〜Ｃ３を取得するようにしたものである。このため、受信ユーザはプリントＰに含まれる複数の被写体のそれぞれに対応する音声を再生して楽しむことができる。
【００５８】
また、撮像部３１の撮像レンズの幾何学的歪みを補正しているため、撮像部３１がそれほど高性能のものではなく、得られた撮像画像データＳ２が撮像部３１の撮像レンズに起因する幾何学的歪みを含むものであっても、補正画像データＳ３により表される補正画像おいては、プリントＰに記録された画像に埋め込まれたコードＣ１〜Ｃ３が歪みのない状態で埋め込まれていることとなる。したがって、埋め込まれたコードＣ１〜Ｃ３を精度よく検出することができる。
【００５９】
なお、音声データの保管場所のＵＲＬがバーコードとしてプリントＰに記録されている場合には、カメラ付き携帯電話３からはバーコードを表すバーコード情報がサーバ４に送信される。サーバ４においては、バーコード情報に基づいて音声データＭ１〜Ｍ３の保管場所のＵＲＬが取得され、これに基づいて音声データＭ１〜Ｍ３が取得されてカメラ付き携帯電話３に送信される。
【００６０】
また、上記第１の実施形態においては、プリントＰには３人の人物が含まれているため、撮像画像データＳ２により表される画像から各人物の顔領域を抽出し、各人物の顔を受信ユーザに選択させるようにしてもよい。具体的には、各人物の顔画像を表示部３に切り替え表示する、各人物の顔画像を並べて表示する、各人物の顔画像に番号を付与して番号を表示して選択させる、撮像画像データにより表される画像上において抽出した顔画像に枠を付与する等により、各人物の顔画像を選択させることができる。なお、各人物の顔画像を表示部３に切り替え表示する場合には、抽出した顔画像をそのままのサイズで表示してもよいが、抽出した顔画像を表示部３のサイズに合わせて拡大縮小してもよい。この際、抽出した顔画像をそのまま表示するか、拡大縮小して表示するかを選択できるようにすることが好ましい。また、抽出した顔画像のサイズに応じて、そのままのサイズで表示するか拡大縮小して表示するかを自動的に選択するようにしてもよい。
【００６１】
顔画像の選択後は、受信ユーザが選択した顔画像からコードを検出し、検出したコードをサーバ４に送信して、選択した人物に対応する音声データのみを情報記憶部１５から検索してカメラ付き携帯電話３に送信すればよい。
【００６２】
次いで、本発明の情報検出装置の第２の実施形態について説明する。図９は本発明の情報検出装置を適用した情報送信システムの第２の実施形態の構成を示す概略ブロック図である。なお、第２の実施形態において、第１の実施形態と同一の構成については同一の参照番号を付し、詳細な説明は省略する。第２の実施形態においては、カメラ付き携帯電話３において取得された撮像画像データＳ２をサーバ４に送信し、サーバ４においてコードＣ１〜Ｃ３を検出するようにした点が第１の実施形態と異なる。このため、第２の実施形態においては、サーバ４に第１の実施形態における歪み補正部３６および情報検出部３７に対応する歪み補正部５４および情報検出部５５を備える。
【００６３】
なお、第２の実施形態においては、歪み補正部５４は、カメラ付き携帯電話３の機種に応じた歪み特性情報を記憶したメモリ５４Ａを備える。このメモリ５４Ａには、カメラ付き携帯電話３の機種情報と歪み特性情報とが対応付けられて記憶されている。そして、カメラ付き携帯電話３から送信された機種情報に基づいて、対応する機種の歪み特性情報を読み出して撮像画像データＳ２の補正を行うものである。なお、カメラ付き携帯電話３においては、機種に応じて特有の電話番号が割り当てられている。このため、電話番号と機種情報とを対応付けた情報をもメモリ５４Ａに記憶しておき、カメラ付き携帯電話３から電話番号を送信することにより、歪み特性情報を読み出すようにしてもよい。
【００６４】
次いで、第２の実施形態において行われる処理について説明する。図１０は第２の実施形態において行われる処理を示すフローチャートである。なお、受信ユーザには、プリントＰが渡されているものとする。まず、受信ユーザの指示により、撮像部３１がプリントＰを撮像し、プリントＰの画像を表す撮像画像データＳ２を取得する（ステップＳ３１）。記憶部３５は撮像画像データＳ２を一旦記憶する（ステップＳ３２）。そして、通信部３４が記憶部３５から撮像画像データＳ２を読み出し、公衆回線５を介して撮像画像データＳ２をサーバ４に送信する（ステップＳ３３）。
【００６５】
サーバ４の通信部５１は撮像画像データＳ２を受信し（ステップＳ３４）、歪み補正部５４が撮像画像データＳ２に含まれる幾何学的歪みを補正して補正画像データＳ３を取得する（ステップＳ３５）。そして、情報検出部５５が、補正画像データＳ３に埋め込まれている音声データＭ１〜Ｍ３の保管場所のＵＲＬを表すコードＣ１〜Ｃ３を検出する（ステップＳ３６）。コードＣ１〜Ｃ３を検出すると、情報検索部５２がコードＣ１〜Ｃ３により表されるＵＲＬに基づいて情報記憶部１５から音声データＭ１〜Ｍ３を検索し（ステップＳ３７）、通信部５１が、検索した音声データＭ１〜Ｍ３を公衆回線５を介してカメラ付き携帯電話３に送信する（ステップＳ３８）。
【００６６】
カメラ付き携帯電話３の通信部３４は音声データＭ１〜Ｍ３を受信し（ステップＳ３９）、音声出力部３８が音声データＭ１〜Ｍ３を再生し（ステップＳ４０）、処理を終了する。
【００６７】
ここで、送信される音声データＭ１〜Ｍ３はプリントＰに含まれる３人の人物の声であるため、受信ユーザは、カメラ付き携帯電話３の表示部３２に表示された画像とともに、表示された画像に含まれる人物の声を聞くことができる。
【００６８】
このように、第２の実施形態においては、サーバ４においてコードＣ１〜Ｃ３を検出しているため、カメラ付き携帯電話３においてはコードＣ１〜Ｃ３を検出するための処理を行う必要がなく、その結果、第１の実施形態と比較してカメラ付き携帯電話３の処理の負担を軽減することができる。また、カメラ付き携帯電話３に歪み補正部および情報検出部を設ける必要がなくなるため、第１の実施形態と比較して、カメラ付き携帯電話３のコストを低減することができるとともに、カメラ付き携帯電話３の消費電力を低減することができる。
【００６９】
さらに、コードＣ１〜Ｃ３を埋め込むアルゴリズムは日々更新されるが、サーバ４に情報検出部５５を設けることにより、アルゴリズムの頻繁な更新にも対応することができる。
【００７０】
なお、音声データの保管場所のＵＲＬがバーコードとしてプリントＰに記録されている場合には、サーバ４においては、バーコードを表すバーコード情報がカメラ付き携帯電話３から送信された撮像画像データＳ２から検出される。そして検出されたバーコード情報に基づいて音声データＭ１〜Ｍ３の保管場所のＵＲＬが取得され、これに基づいて音声データＭ１〜Ｍ３が取得され、カメラ付き携帯電話３に送信される。
【００７１】
また、上記第２の実施形態において、プリントＰには３人の人物が含まれているため、撮像画像データＳ２により表される画像から各人物の顔領域を抽出し、撮像画像データＳ２に代えて各人物の顔を表す顔画像データをサーバ４に送信するようにしてもよい。具体的には、各人物の顔画像を表示部３に切り替え表示する、各人物の顔画像を並べて表示する、各人物の顔画像に番号を付与して番号を表示して選択させる、撮像画像データにより表される画像上において抽出した顔画像に枠を付与する等により、各人物の顔を選択させ、撮像画像データＳ２から選択させた顔に対応する画像データを顔画像データとして抽出し、抽出した顔画像データをサーバ４に送信する。サーバ４は、選択した人物に対応する音声データのみを情報記憶部１５から検索してカメラ付き携帯電話３に送信すればよい。
【００７２】
これにより、撮像画像データＳ２を送信する場合と比較して、カメラ付き携帯電話３からサーバ４に送信するデータのデータ量を少なくすることができる。また、サーバ４において埋め込まれたコードを検出するための演算時間を短縮することができ、これにより、音声データを迅速に受信ユーザに送信することができる。
【００７３】
ところで、携帯電話を用いてインターネットにアクセスしたり、電子メールの送受信を行うために、携帯電話会社はウェブサーバやメールサーバにアクセスするための中継サーバを提供しており、携帯電話からは中継サーバを介してウェブサイトにアクセスしたり、電子メールの送受信を行っている。このため、ウェブサーバに音声データＭ１〜Ｍ３を保管しておき、中継サーバに本発明による情報検出装置を設けるようにしてもよい。以下、これを第３の実施形態として説明する。
【００７４】
図１１は、本発明の情報検出装置を適用した情報送信システムの第３の実施形態である携帯電話中継システムの構成を示す概略ブロック図である。なお、第３の実施形態において、第１の実施形態と同一の構成については同一の参照番号を付し、詳細な説明は省略する。
【００７５】
図１１に示すように、情報送信システムの第３の実施形態である携帯電話中継システムは、カメラ付き携帯電話３と、中継サーバ６と、ウェブサーバやメールサーバ等からなるサーバ群７との間で公衆回線５およびネットワーク８を介してデータのやり取りを行うものである。
【００７６】
なお、第３の実施形態においては、カメラ付き携帯電話３は第２の実施形態による情報送信システムに用いられているカメラ付き携帯電話３と同様に、撮像部３１、表示部３２、キー入力部３３、通信部３４、記憶部３５および音声出力部３８を有する。
【００７７】
中継サーバ６は、カメラ付き携帯電話３およびサーバ群７を中継する中継システム６１と、第１および第２の実施形態の歪み補正部３６，５４および情報検出部３７，５５にそれぞれ対応する歪み補正部６２および情報検出部６３と、カメラ付き携帯電話３の通信料金を管理する課金システム６４とを備える。なお、歪み補正部６２は、第２の実施形態のメモリ５４Ａに対応する、カメラ付き携帯電話３の機種に応じた歪み特性情報を記憶したメモリ６２Ａを備えている。
【００７８】
なお、第３の実施形態においては、情報検出部６３は補正画像データＳ３からコードＣ１〜Ｃ３を検出するとともに、コードＣ１〜Ｃ３に対応するＵＲＬを中継システム６１に入力する機能を有する。
【００７９】
中継システム６１は、情報検出部６３からＵＲＬが入力されるとそのＵＲＬに対応するウェブサーバ（７Ａとする）にアクセスして、そこに保管されている音声データＭ１〜Ｍ３を読み出し、カメラ付き携帯電話３に送信する。なお、カメラ付き携帯電話３が撮像したプリントＰにコードＣ１〜Ｃ３が埋め込まれていない場合には、情報検出部６３からその旨が中継システム６１に入力される。中継システム６１はその旨を記述した電子メールをカメラ付き携帯電話３に送信して、カメラ付き携帯電話３から送信された撮像画像データＳ２には音声データＭ１〜Ｍ３にリンクする情報は付与されていなかったことをカメラ付き携帯電話３のユーザに通知する。
【００８０】
課金システム６４は、カメラ付き携帯電話３の通信料金の管理を行う。本実施形態においては、プリントＰにコードＣ１〜Ｃ３が埋め込まれており、中継システム６１が音声データＭ１〜Ｍ３を取得するためにウェブサーバ７Ａにアクセスした段階において課金システム６４が課金を開始し、プリントＰにコードＣ１〜Ｃ３が埋め込まれていない場合には、中継システム６１はサーバ群７のいずれにもアクセスしないため、課金はされないこととなる。
【００８１】
次いで、第３の実施形態において行われる処理について説明する。図１２は第３の実施形態において行われる処理を示すフローチャートである。なお、受信ユーザには、プリントＰが渡されているものとする。まず、受信ユーザの指示により、撮像部３１がプリントＰを撮像し、プリントＰの画像を表す撮像画像データＳ２を取得する（ステップＳ５１）。記憶部３５は撮像画像データＳ２を一旦記憶する（ステップＳ５２）。そして、通信部３４が記憶部３５から撮像画像データＳ２を読み出し、公衆回線５を介して撮像画像データＳ２を中継サーバ６に送信する（ステップＳ５３）。
【００８２】
中継サーバ６の中継システム６１は撮像画像データＳ２を受信し（ステップＳ５４）、歪み補正部６２が撮像画像データＳ２に含まれる幾何学的歪みを補正して補正画像データＳ３を取得する（ステップＳ５５）。そして、情報検出部６３が、補正画像データＳ３から音声データＭ１〜Ｍ３の保管場所のＵＲＬを表すコードＣ１〜Ｃ３が検出可能か否かを判定する（ステップＳ５６）。
【００８３】
ステップＳ５６が肯定されると、情報検出部６３が、補正画像データＳ３からコードＣ１〜Ｃ３を検出して、さらにコードＣ１〜Ｃ３からＵＲＬを生成して中継システム６１に入力する（ステップＳ５７）。中継システム６１はＵＲＬに基づいてウェブサーバ７Ａにネットワーク８を介してアクセスする（ステップＳ５８）。
【００８４】
ウェブサーバ７Ａは音声データＭ１〜Ｍ３を検索し（ステップＳ５９）、検索した音声データＭ１〜Ｍ３をネットワーク８を介して中継システム６１に送信する（ステップＳ６０）。中継システム６１は音声データＭ１〜Ｍ３を中継してカメラ付き携帯電話３に送信する（ステップＳ６１）。
【００８５】
カメラ付き携帯電話３の通信部３４は音声データＭ１〜Ｍ３を受信し（ステップＳ６２）、音声出力部３８が音声データＭ１〜Ｍ３を再生し（ステップＳ６３）、処理を終了する。
【００８６】
一方、ステップＳ５６が否定されると、中継システム６１がプリントＰにコードＣ１〜Ｃ３が埋め込まれていない旨を記述した電子メールをカメラ付き携帯電話３に送信し（ステップＳ６４）、処理を終了する。
【００８７】
なお、上記第１から第３の実施形態においては、音声データＭ１〜Ｍ３の保管場所のＵＲＬを電子透かしとして埋め込んでいるが、プリントＰに含まれる人物の電話番号を埋め込んでもよい。この場合、プリントＰに含まれる人物は自分の電話番号を他人に知られることなく密かにカメラ付き携帯電話３のユーザに伝えることができる。一方、カメラ付き携帯電話３のユーザは、カメラ付き携帯電話３においてプリントＰを撮像することにより得られた撮像画像データＳ２からプリントＰに含まれる人物の電話番号を得ることができ、これによりカメラ付き携帯電話３のユーザはプリントＰに含まれる人物に電話をかけることができる。
【００８８】
また、上記第１から第３の実施形態においては、撮像画像データＳ２を補正することにより得られた補正画像データＳ３からコードＣ１〜Ｃ３を検出しているが、撮像部３１の撮像レンズが高性能であって幾何学的歪みを含まなかったり含んでいてもごく僅かなものである場合がある。このような場合には、撮像画像データＳ２を補正することなく、撮像画像データＳ２からコードＣ１〜Ｃ３を検出することができる。
【００８９】
また、上記第１から第３の実施形態においては、カメラ付き携帯電話３においてプリントＰを撮像して、カメラ付き携帯電話３に音声データＭ１〜Ｍ３を送信しているが、パソコンに接続されたカメラ、スキャナ等によりプリントＰから画像を読み取って撮像画像データＳ２を得、パソコンに音声データＭ１〜Ｍ３を送信して再生するようにしてもよい。
【００９０】
また、図１３に示すように、テレビ７１、ステレオ７２およびパソコン７３等に画像や音声を再生するための装置を撮像することにより得られた画像を表す画像データＳ０に、各装置を特定するための装置ＩＤをコードＣ１１〜Ｃ１３として埋め込み、コードＣ１１〜Ｃ１４が埋め込まれた情報付与済み画像データＳ１をプリント出力してもよい。この場合、各装置はカメラ付き携帯電話３から送信された音声データ、静止画像データおよび／または動画像データ（以下音声データ等とする）を受信して再生する機能を有するものである。
【００９１】
そして、情報付与済み画像データＳ１のプリントＰをカメラ付き携帯電話３により撮像し、所望とする装置についてのコードを検出し、コードを検出した装置に、音声データ等を送信してその装置においてその音声データ等を再生することができる。例えば、プリントＰにおけるステレオ７２の部分からコードＣ１２を検出し、コードＣ１２に対応する装置ＩＤを有するステレオ７２に音声データを送信すれば、ステレオ７２において送信した音声データを再生することができる。
【００９２】
また、画像データＳ１により表される画像におけるパソコン７３に対応する部分に、音声データ等を再生するための特定のアプリケーションを表すアプリケーションＩＤをコードＣ１４として埋め込んでもよい。この場合、コードＣ１４が埋め込まれた情報付与済み画像データＳ１のプリントＰを撮像してコードＣ１４を検出し、パソコン７３に音声データ等を送信する際にアプリケーションＩＤのコードＣ１４を同時に送信して、コードＣ１４に対応するアプリケーションＩＤにより表される特定のアプリケーションを起動させ、そのアプリケーションにより音声データ等を再生するようにしてもよい。また、この場合、特定のアプリケーションを起動してあらかじめ設定された音声データ等を再生するようにしてもよい。また、特定のアプリケーションを起動させ、その後にネットワーク経由で音声データ等をパソコン７３に送信して再生させるようにしてもよい。
【００９３】
また、上記第１から第３の実施形態においては、音声データをカメラ付き携帯電話３に送信しているが、音声データの送信に代えて、カメラ付き携帯電話３に電話をかけて、通話状態にて音声データをカメラ付き携帯電話３において再生させるようにしてもよい。
【００９４】
また、上記情報付与システムの実施形態においては、３人の人物を撮像することにより取得した原画像データＳ０にコードＣ１〜Ｃ３を埋め込んでいるが、図１４に示すように、少なくとも１人の人物が含まれる画像を複数枚並べて撮像することにより得られた複数の人物を含む原画像に、人物に対応づけてコードを埋め込むようにしてもよい。この場合においても、原画像データＳ０に含まれるそれぞれの人物の顔領域を抽出し、抽出した顔領域のそれぞれの人物に対応するコードを埋め込めばよい。
【００９５】
また、上記情報付与システムの実施形態においては、音声データＭ１〜Ｍ３の保管場所のＵＲＬを表すコードを原画像Ｓ０に含まれる被写体毎に埋め込んでいるが、とくに画像データＳ０を動画像データから生成した場合には、その動画像データの保管場所のＵＲＬを表すコードを原画像Ｓ０に含まれる被写体毎に埋め込んでもよい。
【００９６】
この場合、上記第１から第３の実施形態においては、動画像データがカメラ付き携帯電話３に送信されて再生されることとなるが、カメラ付き携帯電話３の機種によっては動画像データを再生できない場合がある。このため、サーバにカメラ付き携帯電話３の機種毎に動画像データを再生可能であるか否かを記述したテーブルを記憶しておき、カメラ付き携帯電話３からコードあるいは撮像画像データＳ２をサーバに送信する際に、カメラ付き携帯電話３の機種を特定する情報を送信するようにし、サーバにおいてカメラ付き携帯電話３の機種が動画像データを再生可能である場合にのみ動画像データをカメラ付き携帯電話３に送信すればよい。なお、カメラ付き携帯電話３が動画像データを再生できない機種である場合には、動画像データに含まれる音声データのみをカメラ付き携帯電話３に送信するようにすればよい。また、カメラ付き携帯電話３が動画像データを再生可能な機種である場合にも、動画像データを送信するか動画像データに含まれる音声データを送信するかを選択させる選択画面をカメラ付き携帯電話３に送信して、動画像データおよび音声データの送信の選択をカメラ付き携帯電話３のユーザに行わせるようにしてもよい。
【００９７】
ところで、音声データや動画像データをＣＤ−Ｒ，ＤＶＤ−Ｒ等のメディアに記録し、メディアをパソコンやＤＶＤプレーヤー等の再生装置に装填して、音声データや動画像データを再生することが行われているが、複数の音声データや動画像データがメディアに記録されている場合、所望とする音声データ等を選択することが煩わしい場合がある。このため、メディアのケースに、メディアに記録されている複数の音声データ等のそれぞれに対応した複数のインデックス画像を付与し、各インデックス画像に対応する音声データ等を特定するためのコードを埋め込み、所望とするインデックス画像を撮像してインデックス画像に付与されたコードを再生装置に送信し、再生装置において受信したコードに対応する音声データ等を再生することにより、所望とする音声データ等の再生を行いやすくすることができる。
【００９８】
しかしながら、インデックス画像を撮像する場合、撮像した画像内に複数のインデックス画像が含まれる可能性が高いため、いずれのインデックス画像に埋め込まれたコードを再生装置に送信すればよいかがわからなくなってしまう。
【００９９】
ここで、インデックス画像を撮像する場合、所望とするインデックス画像が中心に位置するように撮像を行うことが多い。このように撮像を行うことにより得られた撮像画像を図１５に示す。図１５に示すように、この撮像画像には中央部分に所望とするインデックス画像Ｇ０が含まれ、その周囲に他のインデックス画像Ｇ１の一部分が含まれる。
【０１００】
したがって、撮像画像においてコードが埋め込まれたインデックス画像の面積を算出し、最も面積が大きいインデックス画像から得られたコードのみを再生装置に送信するようにすればよい。これにより、撮像画像に複数のインデックス画像が含まれている場合でも、所望とするインデックス画像に対応するデータを再生装置において再生することができる。この場合、撮像画像において、最も面積が大きいインデックス画像を点滅させたり、枠で囲む等して他のインデックス画像と表示形態を異なるようにすることが好ましい。
【０１０１】
なお、インデックス画像の面積を算出する際に、撮像画像の中央部分ほど重みが大きくなる重み係数を設定しておき、算出した面積の位置に応じて重み係数を乗算して重み付け面積を算出し、重み付け面積が最も大きくなるインデックス画像から得られたコードのみを再生装置に送信するようにしてもよい。
【０１０２】
また、上記第１から第３の実施形態においては、情報付与済み画像データＳ１をプリント出力して得たプリントＰを撮像し、これにより得られた撮像画像データＳ２からコードを検出しているが、情報付与済み画像データＳ１をＣＲＴ、液晶等のディスプレイに表示し、ディスプレイに表示された情報付与済み画像データＳ１を撮像することにより取得した撮像画像データＳ２からコードを検出するようにしてもよい。これにより、情報付与済み画像データＳ１をプリント出力しなくても、画像データを表示可能なパソコン、テレビ等に情報付与済み画像データＳ１を送信すれば情報付与済み画像データＳ１を表示できることとなる。
【図面の簡単な説明】
【０１０３】
【図１】本発明の実施形態による情報付与装置を備えた情報付与システムの構成を示す概略ブロック図
【図２】顔領域の抽出を説明するための図
【図３】ブロック領域の設定を説明するための図
【図４】電子透かしの埋め込みアルゴリズムを説明するための図
【図５】記号がプリントされた状態を示す図
【図６】情報の付与時に行われる処理を示すフローチャート
【図７】情報送信システムの第１の実施形態の構成を示す概略ブロック図
【図８】第１の実施形態において行われる処理を示すフローチャート
【図９】情報送信システムの第２の実施形態の構成を示す概略ブロック図
【図１０】第２の実施形態において行われる処理を示すフローチャート
【図１１】情報送信システムの第３の実施形態である携帯電話中継システムの構成を示す概略ブロック図
【図１２】第３の実施形態において行われる処理を示すフローチャート
【図１３】画像や音声を再生するための装置を撮像することにより得られた画像を示す図
【図１４】少なくとも１人の人物が含まれる画像を複数枚並べて撮像することにより得られた複数の人物を含む画像を示す図
【図１５】インデックス画像の撮像画像の例を示す図
【符号の説明】
【０１０４】
１    情報付与システム
３    カメラ付き携帯電話
４    サーバ
５    公衆回線
６    中継サーバ
７    サーバ群
８    ネットワーク
１１    入力部
１２    被写体抽出部
１３    ブロック化処理部
１４    入力データ処理部
１５    情報記憶部
１６    埋め込み処理部
１７    プリンタ
３１    撮像部
３２    表示部
３３    キー入力部
３４，５１    通信部
３５    記憶部
３６，５４，６２    歪み補正部
３７，５５，６３    情報検出部
３８    音声出力部
５２    情報検索部
６１    中継システム
６４    課金システム
【図１】
2004282709.tif 000003
【図２】
2004282709.tif 000004
【図３】
2004282709.tif 000005
【図４】
2004282709.tif 000006
【図５】
2004282709.tif 000007
【図６】
2004282709.tif 000008
【図７】
2004282709.tif 000009
【図８】
2004282709.tif 000010
【図９】
2004282709.tif 000011
【図１０】
2004282709.tif 000012
【図１１】
2004282709.tif 000013
【図１２】
2004282709.tif 000014
【図１３】
2004282709.tif 000015
【図１４】
2004282709.tif 000016
【図１５】
2004282709.tif 000017